(57)【特許請求の範囲】
【請求項１】
貯水槽と、該貯水槽上に起立して設けられると共に対向して設けられた左右一対の側板と、これら側板の上端間に掛け渡して設けられた天板と、該天板に吊下され植物を生やすための土壌壁と、該土壌壁の上部に左右方向に延びて設けられ水を噴出する噴水管と、該噴水管に接続され前記貯水槽内の水を噴水管に送るためのポンプと、前記土壌壁の前面を覆うように前記側板の前端と前記天板の前端とに設けられ前記土壌壁に植生された植物を露出させるための複数の露出孔を有する前部化粧板と、前記土壌壁の後面を覆うように前記側板の後端と前記天板の後端とに設けられ前記土壌壁に植生された植物を露出させるための複数の露出孔を有する後部化粧板とを備えたことを特徴とする室内用植栽パーテション。
【請求項２】
前記土壌壁は、前記天板に吊下され下方に延びる吊り部と、該吊り部の前部と後部のそれぞれに前後対称に、かつ、上下に間隔を隔てて複数設けられ水の通過を許容する棚部と、上下に隣り合う前記棚部間のそれぞれに充填され植物を育成させるための基盤材と、前記吊り部より前方の前記基盤材の前面に沿って設けられ植物を植え込むための前部植込層と、前記吊り部より前方の前記棚部間に掛け渡して設けられ前記前部植込層の前面を覆う前部メッシュ層と、前記吊り部より後方の前記基盤材の後面に沿って設けられ植物を植え込むための後部植込層と、前記吊り部より後方の前記棚部間に掛け渡して設けられ前記後部植込層の後面を覆う後部メッシュ層とを備えた請求項１記載の室内用植栽パーテション。
【請求項３】
前記吊り部は、棒状に形成され前記天板に一端を連結される背骨部材と、該背骨部材の前後に設けられ左右に延びると共に上下に延びる不織布とを備えた請求項２記載の室内用植栽パーテション。
【請求項４】
前記棚部は、水平方向に延びる筒体の外周に複数孔を形成してなる孔空き管と、該孔空き管内に充填された前記基盤材とを備えた請求項２又は３記載の室内用植栽パーテション。
【請求項５】
前記前部化粧板と前記後部化粧板とが、アルミニウムからなる板に前記露出孔を水平方向及び上下方向に複数形成してなる請求項１〜４のいずれかに記載の室内用植栽パーテション。
【請求項６】
前記貯水槽には、前記土壌壁下部を受けて支持するための支持部が左右方向に複数間隔を隔てて設けられた請求項１〜５のいずれかに記載の室内用植栽パーテション。
【請求項７】
前記天板は、左右の前記側板上に取り付けられ側板を延長するように上方に延びる起立部と、これら起立部間に形成され水平に延びる水平部とを備えた請求項１〜６のいずれかに記載の室内用植栽パーテション。
【請求項８】
前記側板は、ステンレス鋼からなる板材を断面コ字状に折り曲げて形成された請求項１〜７のいずれかに記載の室内用植栽パーテション。
【発明の詳細な説明】
【技術分野】
【０００１】
本発明は、室内で鑑賞植物を育成するための室内用植栽パーテションに関するものである。
【背景技術】
【０００２】
従来のオフィスにおけるプラントは所謂貸鉢である。
【０００３】
これは耐陰性のある、主に熱帯及び亜熱帯植物を鉢植えにしてオフィスに置き、定期的に交換し、樹勢を保つものである。
【０００４】
他にポトスなどの耐陰性の強い植物を中心に所謂水耕栽培の原理で恒久的に室内に設置するタイプのものが普及し始めている。
【先行技術文献】
【特許文献】
【０００５】
【特許文献１】特開２０１１−６７１４０号公報
【発明の概要】
【発明が解決しようとする課題】
【０００６】
ところで、貸鉢タイプの業者による鉢交換や日常の潅水は、意外に気遣わしい。また、レンタル形式などで恒久的に費用が掛かる。このため、足元のタンクに水を溜め、この水をポンプで循環すると共に、蒸散や光合成で大気に放散した水を補いながら、必要量の追い水をタンクに入れていくタイプ、すなわち、据え置き型の水耕栽培タイプが望ましいが、エアコンの効いた室内では葉肉の薄い植物にとって生きにくい環境となるという問題と、循環する水が劣化するという問題とがあった。
【０００７】
そこで、本発明の目的は、上記課題を解決し、日常管理の手間を軽減でき植物を良好に育成できる衛生的な室内用植栽パーテションを提供することにある。
【課題を解決するための手段】
【０００８】
上記課題を解決するために本発明は、貯水槽と、該貯水槽上に起立して設けられると共に対向して設けられた左右一対の側板と、これら側板の上端間に掛け渡して設けられた天板と、該天板に吊下され植物を生やすための土壌壁と、該土壌壁の上部に左右方向に延びて設けられ水を噴出する噴水管と、該噴水管に接続され前記貯水槽内の水を噴水管に送るためのポンプと、前記土壌壁の前面を覆うように前記側板の前端と前記天板の前端とに設けられ前記土壌壁に植生された植物を露出させるための複数の露出孔を有する前部化粧板と、前記土壌壁の後面を覆うように前記側板の後端と前記天板の後端とに設けられ前記土壌壁に植生された植物を露出させるための複数の露出孔を有する後部化粧板とを備えたものである。
【０００９】
前記土壌壁は、前記天板に吊下され下方に延びる吊り部と、該吊り部の前部と後部のそれぞれに前後対称に、かつ、上下に間隔を隔てて複数設けられ水の通過を許容する棚部と、上下に隣り合う前記棚部間のそれぞれに充填され植物を育成させるための基盤材と、前記吊り部より前方の前記基盤材の前面に沿って設けられ植物を植え込むための前部植込層と、前記吊り部より前方の前記棚部間に掛け渡して設けられ前記前部植込層の前面を覆う前部メッシュ層と、前記吊り部より後方の前記基盤材の後面に沿って設けられ植物を植え込むための後部植込層と、前記吊り部より後方の前記棚部間に掛け渡して設けられ前記後部植込層の後面を覆う後部メッシュ層とを備えるとよい。
【００１０】
前記吊り部は、棒状に形成され前記天板に一端を連結される背骨部材と、該背骨部材の前後に設けられ左右に延びると共に上下に延びる不織布とを備えるとよい。
【００１１】
前記棚部は、水平方向に延びる筒体の外周に複数孔を形成してなる孔空き管と、該孔空き管内に充填された前記基盤材とを備えるとよい。
【００１２】
前記前部化粧板と前記後部化粧板とが、アルミニウムからなる板材に前記露出孔を水平方向及び上下方向に複数形成してなるとよい。
【００１３】
前記貯水槽には、前記土壌壁下部を受けて支持するための支持部が左右方向に複数間隔を隔てて設けられるとよい。
【００１４】
前記天板は、左右の前記側板上に取り付けられ側板を延長するように上方に延びる起立部と、これら起立部間に形成され水平に延びる水平部とを備えるとよい。
【００１５】
前記側板は、ステンレス鋼からなる板材を断面コ字状に折り曲げて形成されるとよい。
【発明の効果】
【００１６】
本発明によれば、日常管理の手間を軽減でき植物を良好に育成できる衛生的な室内用植栽パーテションを提供できる。
【図面の簡単な説明】
【００１７】
【図１】本発明の実施の形態を示す室内用植栽パーテションの斜視図である。
【図２】室内用植栽パーテションの上部の内部構造を示す斜視説明図である。
【図３】室内用植栽パーテションの下部の内部構造を示す正面説明図である。
【図４】図３のＡ−Ａ線矢視断面図である。
【図５】室内用植栽パーテションの頂部の内部構造を示す側面断面図である。
【図６】室内用植栽パーテションの作製手順を（ａ）〜（ｃ）の順に示す説明図である。
【図７】図６（ｃ）の次の作製手順を示す説明図である。
【図８】図７の次の作製手順を示す説明図である。
【発明を実施するための形態】
【００１８】
図１、図３及び図８に示すように、室内用植栽パーテション１は、貯水槽２と、貯水槽２上に起立して設けられると共に対向して設けられた左右一対の側板３と、これら側板３の上端間に掛け渡して設けられた天板４と、天板４に吊下され植物を生やすための土壌壁５と、土壌壁５の上部に左右方向に延びて設けられ水を噴出する噴水管６と、噴水管６に接続され貯水槽２内の水を噴水管６に送るためのポンプ７と、土壌壁５の前面を覆うように側板３の前端と天板４の前端とに設けられ土壌壁５に植生された植物を露出させるための露出孔８を有する前部化粧板９と、土壌壁５の後面を覆うように側板３の後端と天板４の後端とに設けられ土壌壁５に植生された植物を露出させるための露出孔８を有する後部化粧板１０とを備える。
【００１９】
貯水槽２は、ステンレス鋼からなり、平面視長方形に形成されている。貯水槽２の一端側には、ポンプ７を収容するためのポンプ収容部１１が形成されている。ポンプ収容部１１上には、パンチングメタルからなる蓋３２が着脱自在に設けられている。ポンプ収容部１１に隣接する貯水槽２内には、土壌壁５を受けて支持するための支持部１２が左右方向に複数間隔を隔てて設けられている。支持部１２はアングル材を門型に組み付けてなり、土壌壁５から貯水槽２への水の流れを阻害しないと共に貯水槽２内での水の流通を阻害しないようになっている。
【００２０】
側板３は、ステンレス鋼からなる板材を断面コ字状に折り曲げて形成されている。側板３は、前後に延びると共に上下に延びる側板本体１３と、側板本体１３の前端及び後端から対向する側板３側に延びる第１折り返し部１４とを備える。側板３は断面コ字状に形成されることで補強され、天板４及び土壌壁５を支持できるようになっている。
【００２１】
天板４は、ステンレス鋼からなり、左右の側板３上に取り付けられこれら側板３を延長するように上方に延びる起立部１５と、これら起立部１５間に形成され水平に延びる水平部１６とを備える。すなわち、天板４は左右両側の起立部１５と水平部１６とで正面視門型に形成されている。起立部１５は、側板３と同じ断面形状に形成されており、前端と後端に第１折り返し部１４を有する。図５及び図７に示すように、水平部１６の前端と後端には下方に延びる第２折り返し部１７が形成されており、補強されている。また、水平部１６の下面には、土壌壁５を吊下するための上部フック３３が設けられている。上部フック３３は、ステンレス鋼からなり、左右方向に延びると共に断面山字状に形成されている。
【００２２】
図２、図３及び図４に示すように、土壌壁５は、天板４に吊下され下方に延びる吊り部１８と、吊り部１８の前部と後部のそれぞれに前後対称に、かつ、上下に間隔を隔てて複数設けられ水の通過を許容する棚部１９と、上下に隣り合う棚部１９間のそれぞれに充填され植物を育成させるための基盤材２０と、吊り部１８より前方の基盤材２０の前面に沿って設けられ植物を植え込むための前部植込層２１と、吊り部１８より前方の棚部１９間に掛け渡して設けられ前部植込層２１の前面を覆う前部メッシュ層２２と、吊り部１８より後方の基盤材２０の後面に沿って設けられ植物を植え込むための後部植込層２３と、吊り部１８より後方の棚部１９間に掛け渡して設けられ後部植込層２３の後面を覆う後部メッシュ層２４とを備える。
【００２３】
吊り部１８は、棒状に形成され天板４に上端を連結される背骨部材２５と、背骨部材２５の前後に設けられ左右に延びると共に上下に延びる不織布２６とを備える。背骨部材２５は、天板４に左右方向に間隔を隔てて複数連結されている。具体的には、背骨部材２５は、ステンレス鋼からなり、断面矩形枠状の中空の棒状に形成されている。図５に示すように、背骨部材２５の上端部には上部フック３３に掛けるための下部フック３４が形成されている。下部フック３４は、背骨部材２５の上端部前側に形成され前側の上部フック３３に掛けるための前鉤部３５と、背骨部材２５の上端部後側に形成され後側の上部フック３３に掛けるための後鉤部３６とを備える。前鉤部３５は、背骨部材２５の左右両側面の上端部を切り欠くことで背骨部材の上端部に残される前後両面部のうち前面部を鉤型に屈曲してなる。具体的には、前鉤部３５は、上下の中央が前方に膨らむように屈曲されると共に、先端が下方に折り返すように屈曲された形状に形成されている。後鉤部３６は、前鉤部３５に対して前後対称となるように後面部を鉤型に屈曲してなる。図２、図３及び図４に示すように、不織布２６は、左右の背骨部材２５間に複数枚重ねて設けられると共に、背骨部材２５の前後にそれぞれ設けられている。
【００２４】
棚部１９は、水平方向に延びる筒体の外周に複数孔２７を形成してなる孔空き管２８と、孔空き管２８内の左右の中央に充填された基盤材２０と、孔空き管２８の左右両端に充填され孔空き管２８の両端を塞ぐ蓋として機能する水苔２９とを備える。孔空き管２８は、樹脂からなる。孔空き管２８の孔２７は、径方向に貫通されており、水及び空気を流通させるようになっている。孔空き管２８は、背骨部材２５にボルト３０を介して設けられている。ボルト３０は水平方向に延びると共に背骨部材２５に前後に貫通して設けられており、両端部に雄ネジを有する。背骨部材２５から前後に延びるボルト３０は、それぞれ前後の不織布２６及び孔空き管２８を貫通している。これら孔空き管２８は、ボルト３０の両端部にナット３１を螺合されることで吊り部１８に締結されている。
【００２５】
基盤材２０は、焼成多孔質材と、籾殻クンタンと、保水材と、完熟バークとを所定の割合で混合してなる。前部植込層２１及び後部植込層２３は、水苔からなる。前部植込層２１及び後部植込層２３は、前部メッシュ層２２又は後部メッシュ層２４から基盤材２０が漏れ出るのを防ぐ機能を有する。前部メッシュ層２２及び後部メッシュ層２４は、左右方向の寸法が孔空き管２８の長さと略同じ長さに形成され、上下方向の寸法が最上段の孔空き管２８から最下段の孔空き管２８までの長さと略同じ長さに形成されたメッシュシートからなる。メッシュシートは樹脂からなる。
【００２６】
噴水管６は、樹脂管の外周に噴水用の孔を形成してなる。噴水管６は、土壌壁５の前部と後部とにそれぞれ設けられる。噴水管６はそれぞれ孔空き管２８に覆われており、基盤材２０には直接触れないようになっている。噴水管６を覆う孔空き管２８は、吊り部１８の上端にボルト３０を介して取り付けられている。ポンプ７は、水中ポンプからなり、貯水槽２のポンプ収容部１１内に設けられている。
【００２７】
前部化粧板９及び後部化粧板１０は、アルミニウムからなる板材に露出孔８を水平方向に複数かつ上下方向に複数形成したパンチングメタルからなる。露出孔８は、それぞれ上下の棚部１９間に位置して形成されている。
【００２８】
次に本実施の形態の作用を述べる。
【００２９】
室内用植栽パーテション１を組み立てる場合、まず土壌壁５を組み立てる。
【００３０】
図２及び図６（ａ）に示すように、土壌壁５の棚部１９を組み立てる場合、孔空き管２８内に基盤材２０を充填すると共に孔空き管２８の両端部を水苔２９で塞ぐ。具体的には、孔空き管２８の一端側に水苔２９を予め充填して孔空き管２８の一端を塞ぎ、塞いだ一端側を下にして孔空き管２８を傾け、孔空き管２８内に他端側から基盤材２０を充填し、孔空き管２８の他端側に水苔２９を充填して孔空き管２８の他端側を塞ぐ。
【００３１】
また、図２及び図６（ｂ）に示すように、土壌壁５の吊り部１８を組み立てる場合、上下に重ねた不織布２６間に背骨部材２５を複数平行かつ水平に並べると共に背骨部材２５間に不織布２６を詰め、上下の不織布２６とそれぞれの背骨部材２５とにボルト３０を上下に串刺し状に貫通して設ける。ボルト３０は、背骨部材２５に棚部１９を設けるためのものでもあるため、それぞれの背骨部材２５に長手方向に沿って複数等間隔に配置する。
【００３２】
この後、吊り部１８から上方に突出するボルト３０に棚部１９をボルト３０が棚部１９を貫通するように取り付けると共に、噴水管６を覆うための孔空き管２８をボルト３０が孔空き管２８を貫通するように取り付け、ボルト３０の上端にナット３１を取り付けて吊り部１８に棚部１９を仮留めすると共に噴水管６を覆うための孔空き管２８を仮留めする。
【００３３】
次に、図６（ｃ）に示すように、孔空き管２８が下となるように吊り部１８を上下反転させ、吊り部１８から上方に突出するボルト３０に棚部１９を上述と同様の手順で仮留めする。
【００３４】
図２及び図７に示すように、それぞれの孔空き管２８間の空間に基盤材２０を充填し、基盤材２０上に基盤材２０の上面を覆うように水苔を設けて前部植込層２１を形成し、前部植込層２１より上方に突出するそれぞれのボルト３０にメッシュシートをナット３１で留めて前部メッシュ層２２を形成する。この後、前部メッシュ層２２が下となるように吊り部１８を上下反転させ、上述と同様の手順でそれぞれの孔空き管２８間の空間に基盤材２０を充填し、基盤材２０上に後部植込層２３を形成し、後部植込層２３上に後部メッシュ層２４を形成して土壌壁５を形成する。
【００３５】
図８に示すように、室内用植栽パーテション１を組み立てる場合、まず、天板４の上部フック３３に土壌壁５の下部フック３４を掛けて天板４に土壌壁５を吊るす。このとき、上部フック３３に対して下部フック３４を前後方向に傾斜させ、前鉤部３５及び後鉤部３６のいずれか一方を上部フック３３に掛けたのち、上部フック３３に対して下部フック３４を前後方向に移動させつつ他方の鉤部３５、３６を上部フック３３に掛ける。下部フック３４は前後対称に形成された二つの鉤部３５、３６で上部フック３３に掛かるため、作業中に土壌壁５が揺れた程度では上部フック３３から下部フック３４が外れることはない。なお、上部フック３３から下部フック３４を外す場合、土壌壁５を持ち上げ、前後方向に傾けることで容易に上部フック３３から下部フック３４を外すことができる。次に、貯水槽２上で起立する左右の側板３上に天板４の左右の起立部１５を接続して側板３間に天板４を掛け渡す。これにより、土壌壁５は側板３間に位置され、支持部１２上に載置されて支持される。
【００３６】
この後、前側の第１折り返し部１４及び第２折り返し部１７に前部化粧板９を取り付けると共に、後側の第１折り返し部１４及び第２折り返し部１７に後部化粧板１０を取り付ける。
【００３７】
図１、図２及び図３に示すように、貯水槽２内に溜められた水Ｗは、噴水管６から噴射され、下方の基盤材２０に供給される。噴水管６は孔空き管２８に覆われているため、基盤材２０に水の噴射を阻害されることはなく、基盤材２０に安定して供給される。基盤材２０及び植込層２１、２３は、左右両側を側板３に覆われ、上端を天板４に覆われ、前後を前部化粧板９及び後部化粧板１０に覆われているため、エアコンの効いた乾燥した室内であっても水が蒸発しにくく基盤材２０及び植込層２１、２３の乾燥を防ぐことができる。また、基盤材２０及び植込層２１、２３で余った水分は、自然流下により基盤材２０及び植込層２１、２３を湿潤にする。基盤材２０及び植込層２１、２３の下端まで流下した水は貯水槽２内に戻り、噴水管６から供給された水を常に循環させることができる。このとき土壌壁５の土壌（特に基盤材２０）はフィルタとして機能し、水の腐敗を防ぐことができる。また、多孔質物質を含む基盤材２０は、バクテリアを濾過するのみならず植物に有害な化学的成分も除去するため、更に良好に水の腐敗を防ぐと共に水を浄化することができる。また、植込層２１、２３及び基盤材２０には、化粧板９、１０の多数の露出孔８から通気するため、植物の根に酸素を十分に供給できる。
【００３８】
このように、貯水槽２と、貯水槽２上に起立して設けられると共に対向して設けられた左右一対の側板３と、これら側板３の上端間に掛け渡して設けられた天板４と、天板４に吊下され植物を生やすための土壌壁５と、土壌壁５の上部に左右方向に延びて設けられ水を噴出する噴水管６と、噴水管６に接続され貯水槽２内の水を噴水管６に送るためのポンプ７と、土壌壁５の前面を覆うように側板３の前端と天板４の前端とに設けられ土壌壁５に植生された植物を露出させるための複数の露出孔８を有する前部化粧板９と、土壌壁５の後面を覆うように側板３の後端と天板４の後端とに設けられ土壌壁５に植生された植物を露出させるための複数の露出孔８を有する後部化粧板１０とを備えて室内用植栽パーテション１を構成したため、室内用植栽パーテション１を衛生的にできると共に、日常管理の手間を軽減でき植物を良好に育成することができる。また、造形的な置物的な趣を強めることができ、植物以外が総て覆われることにより、ふき取りその他の衛生管理が容易である。またさらに、土壌壁５からの蒸散を大幅に減少でき、給水回数も減少することができる。これにより、貯水槽２内の貯水中の養分等の濃度が急激に上昇するのを防ぐことができる。
【００３９】
土壌壁５が、天板４に吊下され下方に延びる吊り部１８と、吊り部１８の前部と後部のそれぞれに前後対称に、かつ、上下に間隔を隔てて複数設けられ水の通過を許容する棚部１９と、上下に隣り合う棚部１９間のそれぞれに充填され植物を育成させるための基盤材２０と、吊り部１８より前方の基盤材２０の前面に沿って設けられ植物を植え込むための前部植込層２１と、吊り部１８より前方の棚部１９間に掛け渡して設けられ前部植込層２１の前面を覆う前部メッシュ層２２と、吊り部１８より後方の基盤材２０の後面に沿って設けられ植物を植え込むための後部植込層２３と、吊り部１８より後方の棚部１９間に掛け渡して設けられ後部植込層２３の後面を覆う後部メッシュ層２４とを備えるものとしたため、基盤材２０が下方に移動するのを簡易な構造で防ぐことができ、土壌壁５の形状が崩れるのを防ぐことができ、上方から下方への水の流れを確保でき、植物を安定して良好に育成できる。
【００４０】
吊り部１８は、棒状に形成され天板４に一端を連結される背骨部材２５と、背骨部材２５の前後に設けられ左右に延びると共に上下に延びる不織布２６とを備えるものとしたため、前後の基盤材２０を簡易な構造で仕切れると共に、植物の根が吊り部１８を越えて裏側まで延びるのを許容でき、植物を安定して良好に育成できる。
【００４１】
棚部１９は、水平方向に延びる筒体の外周に複数孔２７を形成してなる孔空き管２８と、孔空き管２８内に充填された基盤材２０とを備えるものとしたため、通水性が良好な棚部１９を簡易な構造でできると共に軽量にできる。
【００４２】
前部化粧板９と後部化粧板１０とが、アルミニウムからなる板に露出孔８を水平方向及び上下方向に複数形成してなるものとしたため、軽量にできると共に美しい外観にできる。また、容易に掃除ができ、さらに衛生的にできる。
【００４３】
貯水槽２には、土壌壁５下部を受けて支持するための支持部１２が左右方向に複数間隔を隔てて設けられるものとしたため、土壌壁５を簡易な構造で安定して支持できる。
【００４４】
天板４は、左右の側板３上に取り付けられ側板３を延長するように上方に延びる起立部１５と、これら起立部１５間に形成され水平に延びる水平部１６とを備えるものとしたため、側板３に対する天板４の取付位置を起立部１５の高さだけ下げることができ、室内用植栽パーテション１の組み立て作業を容易にできる。
【００４５】
側板３は、ステンレス鋼からなる板材を断面コ字状に折り曲げて形成されるものとしたため、天板４及び土壌壁５の重量を簡易な構造で安価に支持できる。
【００４６】
なお、側板３、天板４、前部化粧板９及び後部化粧板１０にＬＥＤ照明（図示せず）を取り付けてもよい。今日ではＬＥＤ照明の進化により地下で果実を生産できるまでになっているため、室内観賞植物のインテリアとしてのあり方も大きく変えていくものと考えられる。
【００４７】
すなわち緑を楽しむのみならず、近い将来は花や果実を鑑賞する四季の変化を屋内にいながらにして楽しむオフィスプラントも可能と考えられる。
【符号の説明】
【００４８】
１  室内用植栽パーテション
２  貯水槽
３  側板
４  天板
５  土壌壁
６  噴水管
７  ポンプ
８  露出孔
９  前部化粧板
１０  後部化粧板
１１  ポンプ収容部
１２  支持部
１３  側板本体
１４  第１折り返し部
１５  起立部
１６  水平部
１７  第２折り返し部
１８  吊り部
１９  棚部
２０  基盤材
２１  前部植込層
２２  前部メッシュ層
２３  後部植込層
２４  後部メッシュ層
２５  背骨部材
２６  不織布
２７  孔
２８  孔空き管
２９  水苔
３０  ボルト
３１  ナット
３２  蓋
３３  上部フック
３４  下部フック
３５  前鉤部
３６  後鉤部
【図１】
0005856828.tif 000002
【図２】
0005856828.tif 000003
【図３】
0005856828.tif 000004
【図４】
0005856828.tif 000005
【図５】
0005856828.tif 000006
【図６】
0005856828.tif 000007
【図７】
0005856828.tif 000008
【図８】
0005856828.tif 000009